(57)【要約】【課題】低コストで、ゆり戻し現象を改善できる液晶駆動装置等を提供する。【解決手段】画像処理コントローラ２００は、１つのフレームをＮ個（Ｎは、２以上の自然数）のフィールドに分割するＮ倍速駆動部２１０と、液晶装置の液晶層に対する駆動の際に駆動補償を行う駆動補償部２２０と、を含む。駆動補償部２２０は、Ｎ個のフィールドの内の第Ｍ（Ｍは、Ｎより小さい自然数）のフィールドにおいては表示階調が目標階調をオーバーシュートするようにオーバードライブ駆動し、Ｎ個のフィールドの内の第（Ｍ＋１）のフィールドにおいては第Ｍのフィールドにおけるオーバードライブ駆動とは逆の極性方向にオーバードライブ駆動する。【選択図】図１３
2009223259.tif 000002
【特許請求の範囲】
【請求項１】
液晶装置を駆動するための液晶駆動装置であって、
１つのフレームをＮ個（Ｎは、２以上の自然数）のフィールドに分割する倍速駆動手段と、
前記液晶装置の液晶層に対する駆動の際に駆動補償を行う駆動補償手段と、
を含み、
前記駆動補償手段が、
前記Ｎ個のフィールドの内の第Ｍ（Ｍは、Ｎより小さい自然数）のフィールドにおいては表示階調が目標階調をオーバーシュートするようにオーバードライブ駆動し、前記Ｎ個のフィールドの内の第（Ｍ＋１）のフィールドにおいては前記第Ｍのフィールドにおけるオーバードライブ駆動とは逆の極性方向にオーバードライブ駆動すること
を特徴とする液晶駆動装置。
【請求項２】
請求項１において、
第ｊ（ｊは、２以上の自然数）のフレームに駆動補償を行う場合に、
前記第２の手段が、
前記第ｊ及び第（ｊ−１）のフレームの画像データの差に基づいてドット毎に前記第Ｍ及び第（Ｍ＋１）のフレームの画像データを補正し、該画像データに対応したオーバードライブ電圧を前記液晶層に印加すること
を特徴とする液晶駆動装置。
【請求項３】
請求項１又は２において、
前記第２の手段が、
第ｊ及び第（ｊ−１）のフレームの画像データの差が大きいほど、前記第Ｍのフィールドにおけるオーバードライブ電圧が大きくなるように該オーバードライブ電圧を前記液晶層に印加すること
を特徴とする液晶駆動装置。
【請求項４】
請求項１乃至３のいずれかにおいて、
前記液晶装置が、
複数のドメインを形成し垂直配向モードで動作する液晶層を有すること
を特徴とする液晶駆動装置。
【請求項５】
複数のドメインを形成し垂直配向モードで動作する液晶層を有する液晶装置であって、
階調データに対応した駆動電圧が印加される第１の電極と、
所与のコモン電圧が印加される第２の電極と、
前記第１及び第２の電極に挟持される前記液晶層と、
前記第１の電極を駆動する請求項４記載の液晶駆動装置と、
を含むことを特徴とする液晶装置。
【請求項６】
前記液晶層に光を供給するためのバックライトと、
前記バックライトを制御するためのバックライト制御装置と、
を更に含み、
前記バックライト制御装置が、
前記第Ｍのフィールドにおいては前記バックライトをオフに制御し、前記（Ｍ＋１）のフィールドにおいては前記バックライトをオンに制御すること
を特徴とする液晶装置。
【請求項７】
液晶装置の駆動方法であって、
１つのフレームをＮ個（Ｎは、２以上の自然数）のフィールドに分割するステップと、
前記液晶装置の液晶層に対する駆動の際に駆動補償を行うステップと、
を含み、
前記駆動補償を行うステップが、
前記Ｎ個のフィールドの内の第Ｍ（Ｍは、Ｎより小さい自然数）のフィールドにおいては表示階調が目標階調をオーバーシュートするようにオーバードライブ駆動し、前記Ｎ個のフィールドの内の第（Ｍ＋１）のフィールドにおいては前記第Ｍのフィールドにおけるオーバードライブ駆動とは逆の極性方向にオーバードライブ駆動すること
を特徴とする液晶装置の駆動方法。
【請求項８】
請求項７において、
第ｊ（ｊは、２以上の自然数）のフレームに駆動補償を行う場合に、
前記第ｊ及び第（ｊ−１）のフレームの画像データの差に基づいてドット毎に前記第Ｍ及び第（Ｍ＋１）のフレームの画像データを補正し、該画像データに対応したオーバードライブ電圧を前記液晶層に印加すること
を特徴とする液晶装置の駆動方法。
【請求項９】
請求項７又は８において、
第ｊ及び第（ｊ−１）のフレームの画像データの差が大きいほど、前記第Ｍのフィールドにおけるオーバードライブ電圧が大きくなるように該オーバードライブ電圧を前記液晶層に印加すること
を特徴とする液晶装置の駆動方法。
【請求項１０】
請求項７乃至９のいずれかにおいて、
前記液晶装置が、
複数のドメインを形成し垂直配向モードで動作する液晶層を有すること
を特徴とする液晶装置の駆動方法。
【発明の詳細な説明】
【技術分野】
【０００１】
本発明は、液晶駆動装置、液晶装置及びその駆動方法に関する。
【背景技術】
【０００２】
近年、液晶装置は、低消費電力、省スペースの表示装置として広く普及している。このような液晶装置は、コンピュータのモニタ装置のみならず、携帯電話機に代表される携帯機器向けの表示装置や、テレビ受信機用の表示装置としても急速に普及している。その一方、液晶装置の高性能化は目覚ましく、応答速度やコントラスト比の向上により、デスクトップ型のコンピュータやワークステーションのＣＲＴ表示装置に置換可能な液晶装置が登場するに至っている。
【０００３】
近年、大画面の表示装置や小型の表示装置では、動画表示の用途が増加しており、液晶装置において動画を高速に応答できることが求められている。しかしながら、液晶装置はＣＲＴ（cathode ray tube）に比べて応答速度の点で劣っていることは広く知られている。そこで、液晶装置において応答速度を改善し良好な動画表示性能を実現することが強く望まれている。
【０００４】
液晶装置の応答速度が遅い原因としては、使用される液晶モード、液晶材料、画素の構造等が挙げられる。また、液晶装置の応答速度は、使用状況によっても低下する。例えば、液晶装置の応答速度は、低温雰囲気下で使用された場合や、中間階調から中間階調への階調変化の場合等に、さらに遅くなる。そして、上記のような原因や使用状況等により、液晶装置の応答速度が１フレーム期間（フレームレートが一般的な６０ｆｐｓの場合には、約１６ｍｓ）よりも遅くなると、表示される動画にボケ、残像、尾引き等が発生することになる。
【０００５】
このような液晶装置の応答速度を高速にする駆動制御として、いわゆるオーバードライブ駆動補償が知られている。オーバードライブ駆動補償は、１フレーム期間内において目標階調よりも高い階調電圧を印加する技術である。
【０００６】
なお、関連する技術として、下記の特許文献１には、複数の信号線と複数の走査線とを有する液晶パネルと、液晶表示データに応じた表示電圧を該信号線に与える信号ドライバ回路と、該走査線に走査指示信号を与える走査ドライバ回路と、外部から供給される表示制御信号（入力制御信号）及び表示データ（入力表示データ）を該信号ドライバ回路及び走査ドライバ回路を駆動するための液晶制御信号及び液晶表示データに変換する液晶制御回路とを備える液晶表示装置において、液晶制御回路は、入力表示データを予め定めた変換方法で変換して補正液晶表示データを出力する表示データ変換手段を具備し、入力制御信号の１周期分の時間である１フレーム期間をＮ分割し（Ｎは２以上の整数、１分割期間をフィールドとする）、走査線は、互いに隣接する複数の走査線を含むＮ個のグループに分けられ、走査ドライバ回路は、各フィールド期間に、Ｎ個のグループのうちの２つのグループの走査線を各グループに含まれる全走査線数よりも少ない走査線毎に交互に選択し、各グループの１フレーム期間に含まれるＮフィールド中には、表示データ変換手段で変換処理された補正液晶表示データで駆動するフィールドと、表示データ変換手段で変換処理されない液晶表示データで駆動するフィールドとが含まれていることを特徴とする液晶表示装置が掲載されている。
【０００７】
しかしながら、オーバードライブ駆動補償を用いても、液晶モードによっては、中間階調から中間階調への階調変化の場合等に、１フレーム期間（約１６ｍｓ）程度までにしか応答速度を改善することができない。
【０００８】
ところで、垂直配向モードの液晶装置、特に画素領域内の液晶分子のチルト方向が異なる複数のドメインを形成したマルチモード垂直配向（Multi-domain Vertical Alignment：以下、ＭＶＡ）型の液晶装置は、コントラスト比に優れ、広い視野角を提供する表示装置の提供に寄与できる。
【０００９】
しかしながら、ＭＶＡ型の液晶装置の応答速度については、黒、白、黒の順番に駆動すると液晶の高速応答により画質の向上を図ることができるが、黒から中間調の順番に駆動すると、たとえオーバードライブ駆動補償を行っても、いわゆるゆり戻し現象が発生して動画の画質を改善できないという問題があった。
【００１０】
ゆり戻し現象を改善する技術は、例えば特許文献２に開示されている。特許文献２には、液晶分子を所定の傾斜方向に傾斜させる高分子層でプレチルトを形成させた液晶装置が開示されている。
【００１１】
【特許文献１】特許第３７４９４３３号公報
【特許文献２】特開２００５−３３８１９９号公報
【発明の開示】
【発明が解決しようとする課題】
【００１２】
本発明は、以上のような技術的課題に鑑みてなされたものであり、その目的とするところは、低コストで、ゆり戻し現象を改善できる液晶駆動装置、液晶装置及びその駆動方法を提供することにある。
【課題を解決するための手段】
【００１３】
上記課題を解決するために本発明は、
液晶装置を駆動するための液晶駆動装置であって、
１つのフレームをＮ個（Ｎは、２以上の自然数）のフィールドに分割する倍速駆動手段と、
前記液晶装置の液晶層に対する駆動の際に駆動補償を行う駆動補償手段と、
を含み、
前記駆動補償手段が、
前記Ｎ個のフィールドの内の第Ｍ（Ｍは、Ｎより小さい自然数）のフィールドにおいては表示階調が目標階調をオーバーシュートするようにオーバードライブ駆動し、前記Ｎ個のフィールドの内の第（Ｍ＋１）のフィールドにおいては前記第Ｍのフィールドにおけるオーバードライブ駆動とは逆の極性方向にオーバードライブ駆動することを特徴とする液晶駆動装置に関係する。
【００１４】
本発明によれば、第Ｍのフィールドにおいては表示階調が目標階調をオーバーシュートするようにオーバードライブ駆動される。これにより、ゆり戻し現象の改善を実現することができるとともに、画像のエッジが強調され、動画がシャープに見えるようになる。また、第（Ｍ＋１）のフィールドにおいては第Ｍのフィールドにおけるオーバードライブとは逆の極性方向にオーバードライブ駆動される。これにより、画像のボケや尾引きを低減することができるようになる。しかも、既存の液晶装置の構造を流用して、非常に低コストで実現することができる。
【００１５】
また本発明に係る液晶駆動装置では、
第ｊ（ｊは、２以上の自然数）のフレームに駆動補償を行う場合に、
前記第２の手段が、
前記第ｊ及び第（ｊ−１）のフレームの画像データの差に基づいてドット毎に前記第Ｍ及び第（Ｍ＋１）のフレームの画像データを補正し、該画像データに対応したオーバードライブ電圧を前記液晶層に印加することができる。
【００１６】
また本発明に係る液晶駆動装置では、
前記第２の手段が、
第ｊ及び第（ｊ−１）のフレームの画像データの差が大きいほど、前記第Ｍのフィールドにおけるオーバードライブ電圧が大きくなるように該オーバードライブ電圧を前記液晶層に印加することができる。
【００１７】
また本発明に係る液晶駆動装置では、
前記液晶装置が、
複数のドメインを形成し垂直配向モードで動作する液晶層を有することができる。
【００１８】
また本発明は、
複数のドメインを形成し垂直配向モードで動作する液晶層を有する液晶装置であって、
階調データに対応した駆動電圧が印加される第１の電極と、
所与のコモン電圧が印加される第２の電極と、
前記第１及び第２の電極に挟持される前記液晶層と、
前記第１の電極を駆動する請求項４記載の液晶駆動装置と、
を含むことを特徴とする液晶装置に関係する。
【００１９】
本発明によれば、低コストでゆり戻し現象の改善を実現することができる液晶装置を提供できる。
【００２０】
また本発明に係る液晶装置では、
前記液晶層に光を供給するためのバックライトと、
前記バックライトを制御するためのバックライト制御装置と、
を更に含み、
前記バックライト制御装置が、
前記第Ｍのフィールドにおいては前記バックライトをオフに制御し、前記（Ｍ＋１）のフィールドにおいては前記バックライトをオンに制御することができる。
【００２１】
また本発明は、
液晶装置の駆動方法であって、
１つのフレームをＮ個（Ｎは、２以上の自然数）のフィールドに分割するステップと、
前記液晶装置の液晶層に対する駆動の際に駆動補償を行うステップと、
を含み、
前記駆動補償を行うステップが、
前記Ｎ個のフィールドの内の第Ｍ（Ｍは、Ｎより小さい自然数）のフィールドにおいては表示階調が目標階調をオーバーシュートするようにオーバードライブ駆動し、前記Ｎ個のフィールドの内の第（Ｍ＋１）のフィールドにおいては前記第Ｍのフィールドにおけるオーバードライブ駆動とは逆の極性方向にオーバードライブ駆動すること
を特徴とする液晶装置の駆動方法に関係する。
【００２２】
また本発明に係る液晶装置の駆動方法では、
第ｊ（ｊは、２以上の自然数）のフレームに駆動補償を行う場合に、
前記第ｊ及び第（ｊ−１）のフレームの画像データの差に基づいてドット毎に前記第Ｍ及び第（Ｍ＋１）のフレームの画像データを補正し、該画像データに対応したオーバードライブ電圧を前記液晶層に印加することができる。
【００２３】
また本発明に係る液晶装置の駆動方法では、
第ｊ及び第（ｊ−１）のフレームの画像データの差が大きいほど、前記第Ｍのフィールドにおけるオーバードライブ電圧が大きくなるように該オーバードライブ電圧を前記液晶層に印加することができる。
【００２４】
また本発明に係る液晶装置の駆動方法では、
前記液晶装置が、
複数のドメインを形成し垂直配向モードで動作する液晶層を有することができる。
【００２５】
上記のいずれかの発明によれば、低コストで、ゆり戻し現象を改善できる液晶装置の駆動方法を提供できる。
【発明を実施するための最良の形態】
【００２６】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の必須構成要件であるとは限らない。また同一の構成要素には同一の参照番号を付して説明を省略する。
【００２７】
１．  液晶装置
図１に、本実施形態における液晶装置が適用された電子機器の構成例を示す。図１では、液晶装置として表示モジュールが採用された例を示している。また図１では、電子機器として、液晶ディスプレイ装置に接続されたパーソナルコンピュータシステムを例に示すが、例えば携帯電話機、携帯型情報機器（ＰＤＡ等）、デジタルカメラ、プロジェクタ、携帯型オーディオプレーヤ、マスストレージデバイス、ビデオカメラ、電子手帳、ＧＰＳ（Global Positioning System）装置、ゲーム装置、プロジェクタ（投写型表示装置）等であってもよい。
【００２８】
パーソナルコンピュータシステム１０は、表示モジュール１００、ホスト７００、セット側画像処理装置７１０を含む。ホスト７００は、パーソナルコンピュータ本体等であり、中央演算処理装置（Central Processing Unit：ＣＰＵ)及びメモリやハードディスク装置等の記憶媒体を有し、表示モジュール１００に表示する画像の画像データを生成する。セット側画像処理装置７１０は、ホスト７００からの画像データに対して例えばスケーラ処理等の画像処理を行う。表示モジュール１００では、セット側画像処理装置７１０からの画像データに対して更に画像処理が行われ、該画像処理後の画像データに基づく画像表示制御が行われる。
【００２９】
表示モジュール１００（広義には液晶装置）は、表示パネル１１０（広義には電気光学装置）を有する。表示パネル１１０は、パネル基板上に、ＬＣＤパネルである表示パネル１１０が形成されている。この表示パネル１１０は、アクティブマトリックス方式のパネルであり、複数のゲート線と、複数のソース線と、各画素が各ゲート線及び各ソース線により特定される複数の画素とを含む。
【００３０】
図２に、図１の表示パネル１１０の画素の等価回路の一例を示す。
【００３１】
表示パネル１１０の複数のゲート線の各ゲート線は、複数のソース線の各ソース線に交差するように配置され、各ゲート線及び各ソース線の交差位置に対応する領域に各画素が設けられる。図２では、ゲート線Ｇｕとソース線Ｓｖの交差位置に対応する領域に画素が設けられている。
【００３２】
ゲート線Ｇｕとソース線Ｓｖの交差位置に対応する領域に設けられる画素は、薄膜トランジスタ（Thin Film Transistor：ＴＦＴ)ＳＴＲｖｕを有する。薄膜トランジスタＳＴＲｖｕのソースにソース線Ｓｖが接続され、薄膜トランジスタＳＴＲｖｕのゲートにゲート線Ｇｕが接続され、薄膜トランジスタＳＴＲｖｕのドレインに画素電極ＰＥｖｕが接続される。選択されたゲート線Ｇｕに接続される薄膜トランジスタＳＴＲｖｕがオンすると、該薄膜トランジスタＳＴＲｖｕのソースに接続されるソース線Ｓｖの電圧が薄膜トランジスタＳＴＲｖｕのドレインに接続される画素電極ＰＥｖｕに印加される。画素電極ＰＥｖｕと対向して、所与のコモン電圧が印加されるコモン電極ＶＣＯＭが設けられている。画素電極ＰＥｖｕとコモン電極ＶＣＯＭとの間に液晶層として液晶（広義には電気光学素子）が封入され、該液晶の印加電圧に応じて画素の透過率が変化する。
【００３３】
また、液晶のリーク等により画素の透過率の変化を防止するために、液晶の印加電圧に対応した電荷を保持するために、画素電極ＰＥｖｕと並列に補助容量（保持容量、蓄積容量）ＣＳｖｕが設けられている。図２では、補助容量ＣＳｖｕの一端が画素電極ＰＥｖｕに接続され、補助容量ＣＳｖｕの他端がコモン電極ＶＣＯＭに接続されるが、補助容量ＣＳｖｕの他端に他の電圧が印加されるように構成されていてもよい。補助容量ＣＳｖｕを設けることで、一旦、画素電極ＰＥｖｕの電圧を印加した後は、液晶（液晶層）に定常的に電圧を印加できるようになる。
【００３４】
ところで、本実施形態における表示パネルは、垂直配向モードで動作する液晶表示（Liquid Crystal Display：ＬＣＤ)パネルである。より具体的には、表示パネル１１０は、画素領域内の液晶分子のチルト方向が異なる複数のドメインを形成したＭＶＡ型のＬＣＤパネルである。
【００３５】
図３に、本実施形態における表示パネル１１０の断面構造を模式的に示す。
【００３６】
表示パネル１１０は、画素電極が形成されるＴＦＴ基板（パネル基板）１１２と、コモン電極が形成されるコモン基板１１４とを含み、ＴＦＴ基板１１２及びコモン基板１１４の間に液晶が封入された液晶層を有する。ＴＦＴ基板１１２には、リブと呼ばれる形状の画素電極１１６１〜１１６３が形成される。コモン基板１１４には、リブと呼ばれる形状のコモン電極１１８１、１１８２が形成される。そして、両基板のリブが対向した状態で、その間に液晶が封入されるように両基板が貼り合わされる。この結果、液晶分子ＬＣ１〜ＬＣ５のように配向して、複数のドメインが形成される。
【００３７】
図４に、表示パネル１１０の構成の概要を示す。
【００３８】
更に、表示パネル１１０には、図４に示すように、ＴＦＴ基板１１２とコモン基板１１４を挟むようにその両側に、互いに偏光方向が直交する第１及び第２の偏光フィルタ（偏光素子）１１９１、１１９２を有する。例えば、第１の偏光フィルタ１１９１は、コモン基板１１４の外側に配設され、コモン基板１１４の主面と平行に所与の向きの光吸収軸を有する。第２の偏光フィルタ１１９２は、ＴＦＴ基板１１２の外側に配設され、ＴＦＴ基板１１２の主面と平行に、第１の偏光フィルタ１１９１の光吸収軸と直交する向きの光吸収軸を有する。
【００３９】
このような表示パネル１１０を駆動するために、表示モジュール１００には、図１に示すように液晶駆動装置１５０が設けられる。液晶駆動装置１５０は、ゲート基板１２０、データ基板１３０、コントロール基板１４０を含む。
【００４０】
ゲート基板１２０は、表示パネル１１０の複数のゲート線を走査するための１又は複数のゲートドライバ１２２１〜１２２Ｋ（Ｋは自然数）が実装されるフレキシブル基板である。ゲート基板１２０に設けられたゲートドライバ１２２１〜１２２Ｋの出力電極が表示パネル１１０の複数のゲート線と電気的に接続されるように、ゲート基板１２０が表示パネル１１０（表示モジュール１００）に異方性導電性フィルム（Anisotropic Conductive Film：ＡＣＦ）接続される。
【００４１】
データ基板１３０は、表示パネル１１０の複数のソース線を画像データに基づいて駆動するための１又は複数のソースドライバ１３２１〜１３２Ｊ（Ｊは自然数）が実装されるフレキシブル基板である。データ基板１３０に設けられたソースドライバ１３２１〜１３２Ｊの出力電極が表示パネル１１０の複数のソース線と電気的に接続されるように、データ基板１３０が表示パネル１１０（表示モジュール１００）にＡＣＦ接続される。
【００４２】
コントロール基板１４０は、インタフェース（Interface：Ｉ／Ｆ）回路１４２、メモリ１４４及び画像処理コントローラ（広義には画像処理装置）２００が実装されるプリント基板（Printed Circuit Board）である。Ｉ／Ｆ回路１４２は、セット側画像処理装置７１０とのＩ／Ｆ処理を行う。
【００４３】
画像処理コントローラ２００は、セット側画像処理装置７１０からの画像データに対して、オーバードライブ駆動補償を行うために更に画像処理（例えば画像データの補正処理）を行い、ソースドライバ１３２１〜１３２Ｊに対して画像処理後の画像データを供給すると共に、ソースドライバ１３２１〜１３２Ｊ及びゲートドライバ１２２１〜１２２Ｋに対して表示タイミング信号を供給する。これにより、液晶駆動装置１５０（ソースドライバ１３２１〜１３２Ｊ）は、表示パネル１１０をオーバードライブ駆動することができる。
【００４４】
メモリ１４４は、例えばＲＡＭ（Random Access Memory）である。メモリ１４４には、画像処理コントローラ２００の設定情報が格納されたり、画像処理コントローラ２００の作業データが格納されたりする。画像処理コントローラ２００は、メモリ１４４に格納された設定情報を読み出すことで、該設定情報に対応した画像処理を行うことができる。
【００４５】
このようなコントロール基板１４０は、フレキシブルケーブル（flexible cable）によりデータ基板１３０のソースドライバ１３２１〜１３２Ｊと電気的に接続される。なお、ゲート基板１２０及びデータ基板１３０は、図示しないフィルム配線等により信号のやり取りができるようになっている。
【００４６】
従って、液晶駆動装置１５０は、表示パネル１１０の複数のゲート線を走査するゲートドライバと、表示パネル１１０の複数のソース線を画像データに基づいて駆動するソースドライバと、該ソースドライバに対して画像処理後の画像データを供給する画像処理コントローラとを含むということができる。また、表示モジュール１００は、表示パネル１１０と、表示パネル１１０の複数のソース線を駆動するソースドライバと、表示パネル１１０の複数のゲート線を走査するゲートドライバと、複数のソースドライバに対して画像データを出力する画像処理コントローラ２００とを含むということができる。
【００４７】
このようにパーソナルコンピュータシステム１０では、ホスト７００で生成された画像データは、セット側画像処理装置７１０により、スケール処理やオーバーレイ処理等が行われる。セット側画像処理装置７１０による画像処理後の画像データは、Ｉ／Ｆ回路１４２を介して画像処理コントローラ２００により、少なくともオーバードライブ処理（オーバードライブ駆動補償を行うための画像データの補正処理）が行われ、該処理後の画像データがソースドライバ１３２１〜１３２Ｊに供給される。ソースドライバ１３２１〜１３２Ｊは、ゲートドライバ１２２１〜１２２Ｋと協調して、表示パネル１１０を画像データに基づいて駆動する。
【００４８】
なお、図１では、コントロール基板１４０にメモリ１４４が実装されているものとして説明したが、該メモリ１４４が画像処理コントローラ２００やＩ／Ｆ回路１４２に内蔵されていてもよい。
【００４９】
ところで、ＭＶＡ型の表示パネルには、ゆり戻し現象に起因して、液晶の応答性を悪化させる現象が知られている。
【００５０】
図５に、本実施形態におけるゆり戻し現象の説明図を示す。
【００５１】
図５において、図３と同一部分には同一符号を付し、適宜説明を省略する。
【００５２】
ＭＶＡ型の表示パネルでは、図３に示すように、液晶の印加電圧が無印加状態のときには、液晶分子ＬＣ１〜ＬＣ５（より具体的には液晶分子ＬＣ１〜ＬＣ５の長軸方向）は、液晶層の面（ＴＦＴ基板の主面、コモン基板の主面、画素電極の主面、コモン電極の主面）に対して垂直な方向に配向されている。このような液晶分子の状態から、オーバードライブ駆動を行うと、液晶に急激に高い電圧が印加され、画素電極付近（ＴＦＴ基板付近）及びコモン電極付近（コモン基板付近）に位置する液晶分子は即座に反応できる。これに対して、画素電極付近（ＴＦＴ基板付近）及びコモン電極付近（コモン基板付近）から遠くに位置する液晶分子は、どちらの向きにも傾斜でき、結果的に、電極付近に位置する液晶分子よりも遅れて応答することになる。
【００５３】
例えば、図５の液晶分子ＬＣ１、ＬＣ２、ＬＣ４、ＬＣ５は、電極付近に位置するため高速に応答できるが、液晶分子ＬＣ３の応答が遅れる。この現象がゆり戻し現象として現れ、オーバードライブ駆動を行っても動画の画質を改善できない原因となる。
【００５４】
図６に、本実施形態におけるゆり戻し現象のタイミングの一例を示す。
【００５５】
第（ｊ−１）（ｊは２以上の整数）のフレームにおいて、第（ｊ−１）のフレームの次のフレームである第ｊのフレームに階調ＧＶｊに対応した電圧を液晶に印加するために、第（ｊ−１）のフレームの階調ＧＶｊ−１と第ｊのフレームの階調ＧＶｊとの差ｄｉｆに対応したオーバードライブ電圧を用いてソース線をオーバードライブ駆動する。この結果、第ｊのフレームでは、光学応答が早くなる。
【００５６】
しかしながら、次の第（ｊ＋１）のフレームにおいて、上記の理由でゆり戻し現象が発生し、画質の改善を阻害してしまう。
【００５７】
そこで、このようなゆり戻し現象に起因する画質の悪化を改善するために、１つのフレームをＮ個（Ｎは、２以上の自然数。ここでは、Ｎ＝２とする。）のフィールドに分割し、第Ｍ（Ｍは、Ｎより小さい自然数。ここでは、Ｍ＝１とする。）のフィールドにおいてオーバードライブをより強くする駆動制御を行うことが考えられる。
【００５８】
図７に、上記のような駆動制御を行った場合のタイミング及び表示画像の一例を示す。
【００５９】
第（ｊ−１）（ｊは２以上の整数）のフレームの第２のフィールドにおいて、第（ｊ−１）のフレームの次のフレームである第ｊのフレームに階調ＧＶｊに対応した電圧を液晶に印加するために、第（ｊ−１）のフレームの階調ＧＶｊ−１と第ｊのフレームの階調ＧＶｊとの差ｄｉｆに対応したオーバードライブ電圧を用いて、表示階調が目標階調をオーバーシュートするようにソース線をオーバードライブ駆動する。この結果、第ｊのフレームの第１のフィールドでは、表示階調が目標階調をオーバーシュートし、光学応答が早くなり、また、ゆり戻しによって表示階調が目標階調を下回ってしまうこと（図６参照）をなくすことができる。
【００６０】
また、このように表示階調を目標階調に対して適度にオーバーシュートさせると、画像のエッジが強調され、動画がシャープに見えるようになる。
【００６１】
しかしながら、このような駆動制御を行うと、図７の下段に示すように、表示画像の尾引きが長くなってしまう。また、図７の上段に示すように、表示階調が第ｊのフレーム内において目標階調に収束する（到達する）ことが出来なくなってしまう場合がある。特に、前述のＭＶＡ型の液晶パネル等においては、中間階調から中間階調への階調変化の場合等に応答速度が遅いため、表示階調が第ｊのフレーム内において目標階調に収束することが出来なくなってしまう場合がある。これにより、ボケや尾引きが強調されてしまい、動画画質を却って悪化させてしまうことになる。
【００６２】
そこで、本実施形態では、１つのフレームをＮ個（Ｎは、２以上の自然数。本実施形態においては、Ｎ＝２とする。）のフィールドに分割するステップと、液晶層に対する駆動の際に駆動補償を行うステップとを設け、駆動補償を行うステップが、第Ｍ（Ｍは、Ｎより小さい自然数。ここでは、Ｍ＝１とする。）のフィールドにおいては表示階調が目標階調をオーバーシュートするようにオーバードライブ駆動し、第（Ｍ＋１）のフィールドにおいては第Ｍのフィールドにおけるオーバードライブとは逆の極性方向にオーバードライブ駆動することとした。
【００６３】
図８に、上記のような駆動制御を行った場合のタイミング及び表示画像の一例を示す。
【００６４】
本実施形態では、第ｊのフレームの第１のフィールドにおいては表示階調が目標階調をオーバーシュートするようにオーバードライブ駆動（ここでは、高電位側にオーバードライブ駆動）される。こうすることで、画像のエッジが強調され、動画がシャープに見えるようになる。
【００６５】
また、第ｊのフレームの第２のフィールドにおいては第１のフィールドにおけるオーバードライブとは逆の極性方向にオーバードライブ駆動（ここでは、低電位側にオーバードライブ駆動）される。こうすることで、図８の下段に示すように、図７の下段と比べて表示画像の尾引きを短くすることができるようになる。また、図８の上段に示すように、表示階調が第ｊのフレーム内において目標階調に収束する（到達する）ことができるようになる。これにより、ボケや尾引きを低減することができるようになる。
【００６６】
また、既存の表示パネル１１０の構造を流用できるため、非常に低コストで、ゆり戻し現象に起因する画質の悪化を改善することができる。
【００６７】
２．  液晶駆動装置
本実施形態では、オーバードライブ駆動を、画像処理コントローラ２００において画像データを補正することで実現する。こうすることで、既存のソースドライバを流用でき、低コスト化を図ることができる。
【００６８】
図９に、本実施形態における画像処理コントローラ２００の機能ブロック図の一例を示す。
【００６９】
画像処理コントローラ２００は、Ｎ倍速駆動部２１０（広義には、倍速駆動手段）と駆動補償部２２０（広義には、駆動補償手段）と、を含むことができる。
【００７０】
Ｎ倍速駆動部２１０は、セット側画像処理装置７１０（図１参照）から供給されるクロック信号ＩＣＬＫ及びデータイネーブル信号ＩＤＡＴＡＥＮＡＢをＮ倍速（Ｎは、２以上の自然数）にしたクロック信号ＯＣＬＫ及びデータイネーブル信号ＯＤＡＴＡＥＮＡＢを生成して、駆動補償部２２０及びソースドライバ１３２１〜１３２Ｊ（図１参照）に出力する。
【００７１】
駆動補償部２２０は、表示パネル１１０（液晶装置）の液晶層に対する駆動の際に駆動補償を行う。より具体的には、駆動補償部２２０は、前フレームの画像データと現フレームの画像データとの差分に応じた補償値がそれぞれ加算又は減算された第Ｍ（Ｍは、Ｎより小さい自然数）のフィールド画像データに対応した駆動電圧を液晶に印加し、前フレームの画像データと現フレームの画像データとの差分に応じた補償値がそれぞれ加算又は減算された第（Ｍ＋１）のフィールド画像データに対応した駆動電圧を液晶に印加する制御を行う。
【００７２】
図１０に、図９の画像処理コントローラ２００のハードウェア構成例を示す。
【００７３】
画像処理コントローラ２００の駆動補償部２２０は、メモリ２２１、コンパレータ２２２、ルックアップテーブル（ＬＵＴ）２２３、ＬＵＴアドレス発生回路２２４、補間演算部２２５、第１及び第２フィールド補償演算部２２６１、２２６２、前フィールドデータ読み出し回路２２７、フレームデータ書き込み回路２２８を含む。
【００７４】
前フィールドデータ読み出し回路２２７は、Ｎ倍速駆動部２１０によって生成された読み出し用クロックに同期して、１フィールド前の画像データを、メモリ１４４から読み出す。
【００７５】
メモリ２２１は、セット側画像処理装置７１０（図１参照）から供給される入力画像データ（フレーム画像データ）ＩＤＡＴ（以下、Ｄａｔともいう。）をバッファリングする。このメモリ２２１は、駆動補償部２２０の内部回路が入力画像データＩＤＡＴのＮ倍速で動作するので、入力画像データＩＤＡＴをラッチするために設けられているものである。
【００７６】
コンパレータ２２２は、入力画像データと前フィールドデータ読み出し回路２２７にバッファリングされた１フィールド前の画像データとを比較する。コンパレータ２２２の比較結果は、補償値補間演算部２２５に出力される。
【００７７】
ＬＵＴ２２３には、入力画像データと１フィールド前の画像データとに対応して駆動補償すべき補償値が予め登録されている。
【００７８】
図１１に、図１０のＬＵＴ２２３の登録値の説明図を示す。
【００７９】
ＬＵＴ２２３には、例えばＳ（Ｓは２以上の整数）ビットの複数の補償値が登録されている。各補償値の上位ビット（又は下位ビット）は第Ｍのフィールドのオーバードライブ駆動用の補償値αであり、各補償値の下位ビット（又は上位ビット）は第（Ｍ＋１）のフィールドのオーバードライブ駆動用の補償値βである。このような各補償値は、ＬＵＴ２２３に割り当てられたＬＵＴアドレスにより特定される。ＬＵＴ２２３は、ＬＵＴアドレスに対応した補償値を出力する。
【００８０】
ＬＵＴ２２３の上位ビット（又は下位ビット）には、第ｊ（ｊは２以上の整数）及び第（ｊ−１）のフレームの画像データの差が大きいほどオーバードライブ電圧が大きくなるように、すなわち第Ｍのフィールドにおいて表示階調が目標階調をオーバーシュートするようにオーバードライブ駆動する補償値が登録されている。また、ＬＵＴ２２３の下位ビット（又は上位ビット）には、第（Ｍ＋１）のフィールドにおいて第Ｍ番目のフィールドにおけるオーバードライブとは逆の極性方向にオーバードライブ駆動する補償値が登録されている。
【００８１】
ＬＵＴアドレス発生回路２２４は、上位ビット（又は下位ビット）が前フィールドの画像データであり、下位ビット（又は上位ビット）が入力画像データとなるようにＬＵＴアドレスを生成する。
【００８２】
これにより、前フィールド及び入力画像データに基づいて、ＬＵＴ２２３からは、第Ｍのフィールドのオーバードライブ駆動用の補償値と第（Ｍ＋１）のオーバードライブ駆動用の補償値とが読み出される。
【００８３】
図１０において、ＬＵＴアドレス発生回路２２４は、入力画像データと１フィールド前の画像データとに対応してＬＵＴ２２３のアドレスを発生させて、ＬＵＴ２２３から該アドレスに対応して登録されている補償値を読み出す。
【００８４】
補償値補間演算部２２５は、コンパレータ２２２からの比較結果信号に基づいて、ＬＵＴ２２３から読み出された補償値の補間演算を行う。より具体的には、コンパレータ２２２からの比較結果信号により入力画像データと１フィールド前の画像データとが一致したことが検出されたとき、補償値補間演算部２２５は、ＬＵＴ２２３から読み出された補償値の補間演算を行うことなく、該補償値をそのまま第１及び第２フィールド補償演算部２２６１、２２６２に出力する。
【００８５】
またコンパレータ２２２からの比較結果信号により入力画像データと１フィールド前の画像データとが不一致であることが検出されたとき、補償値補間演算部２２５は、ＬＵＴ２３から読み出された２つの補償値のそれぞれに対して、両画像データの差分に応じた線形補間処理演算を行って、処理後の補償値を第１及び第２フィールド補償演算部２２６１、２２６２に出力する。第１フィールド補償演算部２２６１には、第Ｍのフィールドのオーバードライブ駆動用の補償値αｎ−１が入力され、第２フィールド補償演算部２２６２には、第（Ｍ＋１）のフィールドのオーバードライブ駆動用の補償値βｎ−１が入力される。
【００８６】
第１フィールド補償演算部２２６１は、第ｎ（ｎは、２以上の自然数）のフレームの第１のフィールド期間においては、セット側画像処理装置７１０からの画像データＤａｔ（ｎ）と補償値補間演算部２２５からの補間演算後の補償値α（ｎ）１ｆ（添字「１ｆ」は、第１のフィールドを表す。）との加減算処理を行い、出力画像データＯＤＡＴ（Ｄａｔ（ｎ）±α（ｎ）１ｆ）として出力する。また、第１フィールド補償演算部２２６１は、第ｎのフレームの第２のフィールド期間においては、セット側画像処理装置７１０からの画像データＤａｔ（ｎ）と補償値補間演算部２２５からの補間演算後の補償値α（ｎ）２ｆ（添字「２ｆ」は、第２のフィールドを表す。）との加減算処理を行い、出力画像データＯＤＡＴ（Ｄａｔ（ｎ）±α（ｎ）２ｆ）として出力する。
【００８７】
第２フィールド補償演算部２２６２は、第ｎのフレームの第１のフィールド期間においては、セット側画像処理装置７１０からの画像データＤａｔ（ｎ）と補償値補間演算部２２５からの補間演算後の補償値β（ｎ）１ｆとの加減算処理を行い、処理後の画像データＤａｔ（ｎ）±β（ｎ）１ｆを生成する。また、第２フィールド補償演算部２２６２は、第ｎのフレームの第２のフィールド期間においては、セット側画像処理装置７１０からの画像データＤａｔ（ｎ）と補償値補間演算部２２５からの補間演算後の補償値β（ｎ）２ｆとの加減算処理を行い、処理後の画像データＤａｔ（ｎ）±β（ｎ）２ｆを生成する。
【００８８】
フレームデータ書込み回路２２８は、第ｎのフレームの第１のフィールド期間において第２フィールド補償演算部２２６２の出力Ｄａｔ（ｎ）±β（ｎ）１ｆを、Ｎ倍速駆動部２１０によって生成された書き込み用クロックに同期してメモリ１４４に書き込む。このフレームデータ書込み回路２２８で書き込まれた画像データが、第ｎのフレームの第２のフィールドにおいて前フィールド画像データＤａｔ（ｎ）±β（ｎ）１ｆとして読み出される。また、フレームデータ書込み回路２２８は、第ｎのフレームの第２のフィールド期間において第２フィールド補償演算部２２６２の出力Ｄａｔ（ｎ）±β（ｎ）２ｆを、Ｎ倍速駆動部２１０によって生成された書き込み用クロックに同期してメモリ１４４に書き込む。このフレームデータ書込み回路２２８で書き込まれた画像データが、第（ｎ＋１）のフレームの第１のフィールドにおいて前フィールド画像データＤａｔ（ｎ）±β（ｎ）２ｆとして読み出される。
【００８９】
図１２に、図１０の画像処理コントローラ２００の動作タイミングの一例を示す。
【００９０】
図１２では、第ｎのフレームに表示パネル１１０のソース線を駆動するための画像データを生成するものとする。このとき、画像処理コントローラ２００は、第ｎのフレームを２つのフィールドに分割する。
【００９１】
そして、第ｎのフレームの第１のフィールドにおいては、メモリ２２１からコンパレータ２２２に入力画像データＤａｔ（ｎ）が入力され、前フィールドデータ読み出し回路２２７がメモリ１４４から１フィールド前の画像データＤａｔ（ｎ−１）±β（ｎ−１）２ｆを読み出す。コンパレータ２２２は、両画像データを比較する。
【００９２】
ＬＵＴアドレス発生回路２２４は、入力画像データＤａｔ（ｎ）と１フィールド前の画像データＤａｔ（ｎ−１）±β（ｎ−１）２ｆとを連結してＬＵＴアドレスを生成し、ＬＵＴ２２３から補償値α（ｎ）１ｆ、β（ｎ）１ｆを読み出す。
【００９３】
第１フィールド補償演算部２２６１は、入力画像データＤａｔ（ｎ）と補償値α（ｎ）１ｆとを加算又は減算して、画像データＯＤＡＴとして出力する。この画像データＯＤＡＴに対応した電圧が、第ｎのフレームの第１のフィールドにおけるオーバードライブ駆動用電圧が加味された電圧となる。
【００９４】
第２フィールド補償演算部２２６２は、入力画像データＤａｔ（ｎ）と補償値β（ｎ）１ｆとを加算又は減算し、フレームデータ書込み回路２２８が、Ｄａｔ（ｎ）±β（ｎ）１ｆをメモリ１４４にバッファリングする。そして、このＤａｔ（ｎ）±β（ｎ）１ｆが、第ｎのフレームの第２のフィールドにおいて前フィールドデータとして読み出される。
【００９５】
第ｎのフレームの第２のフィールドにおいては、前フィールドデータ読み出し回路２２７がメモリ１４４から１フィールド前の画像データＤａｔ（ｎ）±β（ｎ）１ｆを読み出す。コンパレータ２２２は、入力画像データＤａｔ（ｎ）と１フィールド前の画像データＤａｔ（ｎ）±β（ｎ）１ｆとを比較する。
【００９６】
ＬＵＴアドレス発生回路２２４は、入力画像データＤａｔ（ｎ）と１フィールド前の画像データＤａｔ（ｎ）±β（ｎ）１ｆとを連結してＬＵＴアドレスを生成し、ＬＵＴ２２３から補償値α（ｎ）２ｆ、β（ｎ）２ｆを読み出す。
【００９７】
第１フィールド補償演算部２２６１は、入力画像データＤａｔ（ｎ）と補償値α（ｎ）２ｆとを加算又は減算して、画像データＯＤＡＴとして出力する。この画像データＯＤＡＴに対応した電圧が、第ｎのフレームの第２のフィールドにおけるオーバードライブ駆動用電圧が加味された電圧となる。
【００９８】
第２フィールド補償演算部２２６２は、入力画像データＤａｔ（ｎ）と補償値β（ｎ）２ｆとを加算又は減算し、フレームデータ書込み回路２２８が、Ｄａｔ（ｎ）±β（ｎ）２ｆをメモリ１４４にバッファリングする。そして、このＤａｔ（ｎ）±β（ｎ）２ｆが、第（ｎ＋１）のフレームの第１のフィールドにおいて前フィールドデータとして読み出される。
【００９９】
図１３に、本実施形態における表示パネル１１０の駆動電圧及び光学応答の一例を示す。
【０１００】
図１３では、第ｎのフレームにおいて行われるオーバードライブ駆動に着目して、階調の変化、駆動電圧の変化及び光学応答の変化の一例を示している。
【０１０１】
第（ｎ−１）のフレームから第ｎのフレームに階調が切り替わる場合に、第ｎのフレームの第１のフィールドにおいて、第（ｎ−１）のフレームの第２のフィールドの画像データと第ｎのフレームの第１のフィールドの画像データとの差分に対応して、表示階調が目標階調をオーバーシュートするようにオーバードライブ電圧が加味された駆動電圧（ここでは、高電位側にオーバードライブされた駆動電圧）が表示パネル１１０の液晶に印加され、オーバードライブ駆動が行われる。この結果、図１３の応答Ｒｅｓｐ１に示すように、第ｎのフレームの第１のフィールドにおいて、光学応答が目標階調をオーバーシュートするように変化する。
【０１０２】
次に、第ｎのフレームの第２のフィールドにおいて、第ｎのフレームの第１のフィールドの画像データと第ｎのフレームの第２のフィールドの画像データとの差分に対応して、第ｎのフレームの第１のフィールドにおけるオーバードライブとは逆の極性方向にオーバードライブ電圧が加味された駆動電圧（ここでは、低電位側にオーバードライブされた駆動電圧）が表示パネル１１０の液晶に印加され、オーバードライブ駆動が行われる。この結果、図１３の応答Ｒｅｓｐ２に示すように、光学応答が高速化される。
【０１０３】
そして、第（ｎ＋１）のフレーム以降では、駆動電圧が、元の画像データに対応した本来の階調電圧に戻される。
【０１０４】
図１３では、第ｎのフレームにおけるオーバードライブ駆動に着目したが、実際には、オーバードライブ駆動用の電圧がパイプライン的に各フレームに加味されることになる。
【０１０５】
このように、本実施形態における画像処理コントローラ２００は、１つのフレームをＮ個（Ｎは、２以上の自然数）のフィールドに分割し、第Ｍ（Ｍは、Ｎより小さい自然数）のフィールドにおいては表示階調が目標階調をオーバーシュートするようにオーバードライブ駆動し、第（Ｍ＋１）のフィールドにおいては第Ｍのフィールドにおけるオーバードライブとは逆の極性方向にオーバードライブ駆動する。より具体的には、画像処理コントローラ２００は、第ｎ及び第（ｎ−１）のフレームの画像データの差に基づいてドット毎に第ｎのフレームの第１及び第２のフィールドの画像を補正することができる。その結果、ソースドライバ１３２１〜１３２Ｊは、補正後の画像データに対応した駆動電圧を液晶層に印加できる。
【０１０６】
これにより、フレームレートが一般的な６０ｆｐｓの場合に、１フィールド期間（約８ｍｓ）での応答を実現することができるようになる。
【０１０７】
なお、上記の実施形態では、１つのフレームを２つのフィールドに分割する例を説明したが、１つのフレームを３つ以上のフィールドに分割するようにしても良い。この場合、第１のフィールドにおいて、表示階調が目標階調をオーバーシュートするようにオーバードライブ駆動し、第２のフィールドにおいて第１のフィールドにおけるオーバードライブとは逆の極性方向にオーバードライブ駆動するようにしても良いし、第２（又はより後ろでも良い。）のフィールドにおいて、表示階調が目標階調をオーバーシュートするようにオーバードライブ駆動し、その次（又はより後ろでも良い。）のフィールドにおいて第２のフィールドにおけるオーバードライブとは逆の極性方向にオーバードライブ駆動するようにしても良い。
【０１０８】
また、本実施形態を液晶装置に関する他の技術と組み合わせるようにしても良い。例えば、スキャン型バックライトと本実施形態とを組み合わせて、第１のフィールドにおいて光学応答が急激に変化している間はバックライトをオフし、第２のフィールドにおいて光学応答が安定したところでバックライトをオンするようにしても良い。このようにすることで、動画特性を一層向上させることができる。
【０１０９】
３．  その他
本実施形態における表示モジュールは、図１に示す構成に限定されるものではない。
【０１１０】
図１４に、本実施形態における表示モジュールの他の構成例を示す。
【０１１１】
図１４において、図１と同一部分には同一符号を付し、適宜説明を省略する。
【０１１２】
図１４における表示モジュールが図１における表示モジュールと異なる点は、データ基板（コントロール基板）が省略され、ソースドライバ１３２１〜１３２Ｊ、画像処理コントローラ２００、メモリ１４４、Ｉ／Ｆ回路１４２が１つの基板上に実装されている点である。こうすることで表示モジュール１００の小型化を図ることができるようになる。
【０１１３】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また画像処理コントローラの構成や、オーバードライブ駆動電圧の算出手法等も本実施形態で説明したものに限定に限定されず、種々の変形実施が可能である。
【０１１４】
また、本発明のうち従属請求項に係る発明においては、従属先の請求項の構成要件の一部を省略する構成とすることもできる。また、本発明の１の独立請求項に係る発明の要部を、他の独立請求項に従属させることもできる。
【図面の簡単な説明】
【０１１５】
【図１】本実施形態における液晶装置が適用された電子機器の構成例を示す図。
【図２】図１の表示パネルの画素の等価回路の一例を示す図。
【図３】本実施形態における表示パネルの断面構造を模式的に示す図。
【図４】表示パネルの構成の概要を示す図。
【図５】本実施形態におけるゆり戻し現象の説明図。
【図６】本実施形態におけるゆり戻し現象のタイミングの一例を示す図。
【図７】表示パネルの駆動制御のタイミングの一例を示す図。
【図８】本実施形態の表示パネルの駆動制御のタイミングの一例を示す図。
【図９】本実施形態における画像処理コントローラの機能ブロックの一例を示す図。
【図１０】図９の画像処理コントローラのハードウェア構成例を示す図。
【図１１】図１０のＬＵＴの登録値の説明図。
【図１２】図１０の画像処理コントローラの動作タイミングの一例を示す図。
【図１３】本実施形態における表示パネルの駆動電圧及び光学応答の一例を示す図。
【図１４】本実施形態における表示モジュールの他の構成例を示す図。
【符号の説明】
【０１１６】
１０  パーソナルコンピュータシステム、  １００  表示モジュール、
１１０  表示パネル、  １２０  ゲート基板、  １２２１〜１２２Ｋ  ゲートドライバ、
１３０  データ基板、  １３２１〜１３２Ｊ  ソースドライバ、
１４０  コントロール基板、  １４２  Ｉ／Ｆ回路、  １４４  メモリ、
１５０  液晶駆動装置、  ２００  画像処理コントローラ、  ２１０  Ｎ倍速駆動部、
２２０  駆動補償部、  ２２１  メモリ、  ２２２  コンパレータ、  ２２３  ＬＵＴ、
２２４  ＬＵＴアドレス発生回路、  ２２５  補償値補間演算部、
２２６１  第１フィールド補償演算部、  ２２６２  第２フィールド補償演算部、
２２７  前フィールドデータ読み出し回路、
２２８  フレームデータ書込み回路、  ７００  ホスト、
７１０  セット側画像処理装置
【図１】
2009223259.tif 000003
【図２】
2009223259.tif 000004
【図３】
2009223259.tif 000005
【図４】
2009223259.tif 000006
【図５】
2009223259.tif 000007
【図６】
2009223259.tif 000008
【図９】
2009223259.tif 000009
【図１０】
2009223259.tif 000010
【図１１】
2009223259.tif 000011
【図１２】
2009223259.tif 000012
【図１３】
2009223259.tif 000013
【図１４】
2009223259.tif 000014
【図７】
2009223259.tif 000015
【図８】
2009223259.tif 000016